(57)【特許請求の範囲】
【請求項１】
露光面が第１サイズである撮像装置用の交換レンズを着脱可能な撮像装置であって、
第２サイズの露光面を有する撮像素子と、
前記撮像素子で取得した撮影画像を表示可能な表示手段と、
撮影後に前記撮影画像を前記表示手段に表示させるアフタービュー表示モードについて設定状態と解除状態との選択が可能な選択手段と、
前記交換レンズの装着後に、前記第１サイズが前記第２サイズより小さいことを示すサイズ不一致を判定する判定手段と、
前記サイズ不一致であると判定された場合には、前記選択手段により前記設定状態を選択させ前記交換レンズを装着してからレリーズボタンを押して初めての撮影後には撮影画像のアフタービュー表示を行う制御手段と、
前記制御手段により前記アフタービュー表示を行った後に前記アフタービュー表示モードを解除状態に設定する解除手段と
を備える撮像装置。
【請求項２】
請求項１に記載の撮像装置において、
前記制御手段による設定状態の選択後に前記サイズ不一致に係る交換レンズが装着されている場合でも、前記選択手段による解除状態の選択が可能である
撮像装置。
【請求項３】
請求項１に記載の撮像装置において、
前記制御手段は、
前記制御手段による設定状態の選択後に前記サイズ不一致に係る交換レンズが装着されている場合には、前記選択手段による前記解除状態の選択を禁止する禁止手段、
を有する撮像装置。
【請求項４】
請求項１に記載の撮像装置において、
前記制御手段により前記アフタービュー表示を行った後には、前記交換レンズの装着前に前記選択手段で選択されていた設定状態または解除状態への復帰が可能である
撮像装置。
【請求項５】
請求項１に記載の撮像装置において、
前記制御手段により前記アフタービュー表示を行った後には、前記交換レンズの装着前に前記選択手段で選択されていた設定状態または解除状態に復帰させる復帰制御手段と、
前記制御手段により前記アフタービュー表示を行った後には、前記選択手段により前記解除状態を選択させる解除選択手段と、
前記復帰制御手段と前記解除選択手段とを選択的に能動化させる手段と
を有する撮像装置。
【請求項６】
交換レンズと、前記交換レンズを着脱可能な撮像装置とを有する撮像システムであって、
前記交換レンズは、露光面が第１サイズである撮像装置用であり、
前記撮像装置は、
第２サイズの露光面を有する撮像素子と、
前記撮像素子で取得した撮影画像を表示可能な表示手段と、
撮影後に前記撮影画像を前記表示手段に表示させるアフタービュー表示モードについて設定状態と解除状態との選択が可能な選択手段と、
前記交換レンズの装着後に、前記第１サイズが前記第２サイズより小さいことを示すサイズ不一致を判定する判定手段と、
前記サイズ不一致であると判定された場合には、前記選択手段により前記設定状態を選択させ前記交換レンズを装着してからレリーズボタンを押して初めての撮影後には撮影画像のアフタービュー表示を行う制御手段と、
前記制御手段により前記アフタービュー表示を行った後に前記アフタービュー表示モードを解除状態に設定する解除手段と
を備える撮像システム。
【発明の詳細な説明】
【技術分野】
【０００１】
本発明は、交換レンズが着脱可能な撮像装置の技術に関する。
【背景技術】
【０００２】
交換レンズが装着可能なデジタルカメラのボディ(カメラボディ)については、ＡＰＳサイズの撮像面(露光面)が設けられた撮像素子を搭載するものが多い反面、ＡＰＳサイズより大きい大判サイズ、例えば３５ｍｍフルサイズの撮像面が設けられた撮像素子を搭載するものも製品化されつつある。
【０００３】
しかし、大判サイズの撮像素子を搭載したカメラボディに、ＡＰＳサイズの撮像素子用に設計された交換レンズが装着されると、撮影画像にイメージサークル不足によるケラレが生じて適正な撮影が困難な状態となる。
【０００４】
この問題を解決する手段としては、例えば特許文献１及び特許文献２に開示されている技術がある。特許文献１に開示されている技術によれば、撮像面が大きい撮像素子を搭載したカメラボディに撮像面が小さい撮像素子用の交換レンズが物理的に装着できない構造とすることにより、不適切な撮影を行えないようにしている。
また特許文献２に開示されている技術によれば、カメラ本体に装着された交換レンズによって取得されたイメージサイズ情報に基づいて、上記交換レンズがカメラ本体に適合するか否かを判定し、不適合と判定されたときは設定されたアスペクト比で撮像素子上の画像を切り出すことによりケラレのない撮影画像を得るようにしている。
【０００５】
【特許文献１】特開２００５−２２７５９７号公報
【特許文献２】特開２００３−１８４４９号公報
【発明の開示】
【発明が解決しようとする課題】
【０００６】
しかしながら、上記特許文献１の技術では、撮像面が小さい撮像素子用の交換レンズをカメラボディに装着できないようにする特別な機構が必要であるため、レンズマウント部の構造が複雑化する。一方、このような構造を採用しなくとも、撮像面が小さい撮像素子用の交換レンズが装着された場合、その不適切な装着状態を装着後の早い段階にユーザが認識できれば、適正でない撮影が長く継続するのを防げる可能性がある。
【０００７】
本発明は、上記課題に鑑みてなされたものであり、カメラボディ内の撮像素子と異なる露光面サイズの撮像装置用に設計された交換レンズが装着された場合でも、その不適切な装着状態が長く継続するのを簡易に防止できる撮像装置の技術を提供することを目的とする。
【課題を解決するための手段】
【０００８】
かかる課題を解決するため本発明においては、露光面が第１サイズである撮像装置用に設計された交換レンズを着脱可能な撮像装置であって、第２サイズを有する露光面が設けられた撮像素子と、記撮像素子で取得した撮影画像を表示可能な表示手段と、交換レンズが装着されることによって撮影された後に撮影画像を表示手段に表示させるアフタービュー表示モードについて設定状態か解除状態かを選択する選択手段と、交換レンズの装着後に撮影された露光面の第１サイズが第２サイズより小さいサイズ不一致であるか否かを判定する判定手段と、サイズ不一致であると判定された場合には、選択手段により設定状態を選択させ交換レンズを装着してからレリーズボタンを押して初めての撮影後には撮影画像のアフタービュー表示を行う制御手段と、制御手段によりアフタービュー表示を行った後に前記アフタービュー表示モードを解除状態に設定する解除手段とを設けることにより、撮像装置に適合しないサイズの小さい交換レンズが装着された場合であっても撮像面でのサイズ不一致を判定しアフタービューモードの設定状態を選択させ、交換レンズを装着してからレリーズボタンを押して初めて撮影された撮影画像のアフタービュー表示を行うことができるので、ユーザは交換レンズ装着後の早い段階で不適切な装着状態を確実に認識でき、不適切な状態が継続するのを防止できる。
【発明の効果】
【００１６】
上述のように本発明によれば、露光面が第１サイズである撮像装置用に設計された交換レンズを着脱可能な撮像装置であって、第２サイズを有する露光面が設けられた撮像素子と、撮像素子で取得した撮影画像を表示可能な表示手段と、交換レンズが装着されることによって撮影された後に撮影画像を表示手段に表示させるアフタービュー表示モードについて設定状態か解除状態かを選択する選択手段と、交換レンズの装着後に撮影された露光面の第１サイズが第２サイズより小さいサイズ不一致であるか否かを判定する判定手段と、サイズ不一致であると判定された場合には、選択手段により設定状態を選択させ交換レンズを装着してからレリーズボタンを押して初めての撮影後には撮影画像のアフタービュー表示を行う制御手段と、制御手段によりアフタービュー表示を行った後にアフタービュー表示モードを解除状態に設定する解除手段とを設けることにより、撮像装置に適合しないサイズの小さい交換レンズが装着された場合であっても撮像面でのサイズ不一致を判定しアフタービューモードの設定状態を選択させ、交換レンズを装着してからレリーズボタンを押して初めて撮影された撮影画像のアフタービュー表示を行うことができるので、ユーザは交換レンズ装着後の最初の撮影画像から早い段階でケラレなどの状態を確実に認識できるとともに、不適切な状態が継続するのを防止でき、かくしてユーザは不適切な装着状態が継続するのを防止でき得る撮像装置を実現できる。
【発明を実施するための最良の形態】
【００２３】
＜第１実施形態＞
＜撮像システムの概要＞
図１および図２は、本発明の第１実施形態に係る撮像システム１００Ａの外観構成を示す図である。ここで、図１は、撮像システム１００Ａの正面外観図であり、図２は、撮像システム１００Ａの背面外観図である。また、図３は、図１のIII−III位置から見た断面を示す概念図である。
【００２４】
図１に示すように、撮像システム１００Ａは、カメラ本体(カメラボディ)１０１と、このカメラ本体１０１の正面略中央に着脱可能に装着される交換レンズ１０２とを備えた一眼レフレックス型デジタルスチールカメラとして構成されている。
【００２５】
図１において、カメラ本体(撮像装置)１０１は、正面略中央に交換レンズ１０２が装着されるマウント部Ｍｔと、マウント部Ｍｔ付近に交換レンズを着脱するための着脱ボタン１４９と、正面左端部に撮影者が把持するためのグリップ部１１３と、ＡＦのための補助光を照射するＡＦ補助光発光部１６３とを備えている。
【００２６】
また、カメラ本体１０１は、その正面右上部に制御値を設定するための制御値設定ダイアル１４６と、正面左上部に撮影モードを切り換えるためのモード設定ダイアル１４２と、グリップ部１１３の上面に露光の開始を指示するためのレリーズボタン１４７とを備えており、フラッシュ撮影の際に被写体を照射する光を発する例えばポップアップ式のフラッシュ１６２を内蔵している。マウント部Ｍｔには、装着された交換レンズ１０２内のＣＰＵ１８１との電気的接続を行うためのコネクタＥＣと機械的接続を行うためのカプラＭＣとが設けられている。
【００２７】
コネクタＥＣは、ＣＰＵ１８１を介し、交換レンズ１０２に内蔵されたレンズＲＯＭ（リードオンリメモリ）１８２から当該レンズに関する型式や型番などのレンズ情報をカメラ本体１０１内の全体制御部１２１Ａに送信したり、レンズ位置検出部１２３によって検出されたフォーカスレンズ１０３等のレンズ位置を全体制御部１２１Ａに送出したりするためのものである。
【００２８】
カプラＭＣは、カメラ本体１０１内に設けられたフォーカスレンズ駆動用のモータＭ１の駆動力を交換レンズ１０２内のレンズ駆動機構１０４に伝達するもので、レンズ駆動機構１０４によりフォーカスレンズ１０３が光軸方向ＬＸに移動することとなる。
【００２９】
図１において、グリップ部１１３の内部には電池収納室とカード収納室とが設けられている。電池収納室にはカメラの電源として、例えば、４本の単３形乾電池が収納されており、カード収納室には撮影画像の画像データを記録するためのメモリカード１７６が着脱可能に収納されるようになっている。
【００３０】
モード設定ダイアル１４２は、カメラの各種モード（静止画を撮影する静止画撮影モード、動画を撮影する動画撮影モード、撮影した画像を再生する再生モード、および外部機器との間でデータ交信を行う通信モード等を含む）を設定するためのものである。
【００３１】
レリーズボタン１４７は、途中まで押し込んだ「半押し状態Ｓ１」の操作と、さらに押し込んだ「全押し状態Ｓ２」の操作とが可能に構成された２段階のスイッチとなっている。静止画撮影モードにおいて、レリーズボタン１４７が半押しされると、被写体の静止画を撮影するための準備動作（露出制御値の設定や焦点調節等の準備動作）が実行され、レリーズボタン１４７が全押しされると、撮影動作（後述する撮像素子１１６を露光し、その露光によって得られた画像信号に所定の画像処理を施す一連の動作）が実行される。
【００３２】
図２において、カメラ本体１０１の背面略中央上部には、ファインダ窓１０８が設けられている。ファインダ窓１０８には、交換レンズ１０２からの被写体像が導かれる。撮影者は、ファインダ窓１０８を覗くことによって、被写体を視認することができる。より具体的には、交換レンズ１０２を通過してきた被写体像を、ミラー機構１２６(図４参照)で上方に反射することで、焦点板に被写体像を結像し、ペンタプリズムを通した像を接眼レンズを介して見ることで、被写体像を視認することができる。なお、ファインダ窓１０８内には、シャッター速度や絞り値やその他撮像システム１００Ａの状態を示す各種情報を表示する液晶表示部が内蔵されている。よって、撮影者は、ファインダ窓１０８を覗くことで、撮像システム１００Ａの各種状態を確認することができる。
【００３３】
カメラ本体１０１の背面の略中央には、背面モニタ１０７が設けられている。背面モニタ１０７は、例えばカラー液晶ディスプレイとして構成されており、撮影条件等を設定するためのメニュー画面を表示したり、再生モードにおいてメモリカード１７６に記録された撮影画像を再生表示したりするものである。
【００３４】
背面モニタ１０７の左上部にはメインスイッチ１４１が設けられている。メインスイッチ１４１は２点スライドスイッチからなり、接点を左方の「ＯＦＦ」位置に設定すると、電源がオフになり、接点の右方の「ＯＮ」位置に設定すると、電源がオンになる。
【００３５】
背面モニタ１０７の右側には方向選択キー１４４が設けられている。この方向選択キー１４４は円形の操作ボタンを有し、この操作ボタンにおける上下左右の４方向の押圧操作と、右上、左上、右下及び左下の４方向の押圧操作とが、それぞれ検出されるようになっている。なお、方向選択キー１４４は、上記８方向の押圧操作とは別に、中央部のプッシュボタンの押圧操作も検出されるようになっている。
【００３６】
背面モニタ１０７の左方位置には、メニュー画面の設定、画像の削除などを行うための複数のボタンからなる設定ボタン群１４３が設けられている。
【００３７】
図４は、撮像システム１００Ａの機能構成を示すブロック図である。
【００３８】
撮像システム１００Ａにおいて、制御部１２１Ａは操作部１４０から入力される撮影者からの指示やレンズ位置検出部１２３により検出されるフォーカスレンズ１０３の位置等に基づき、撮像システム１００Ａを統括的に制御するメイン・マイコンである。
【００３９】
操作部１４０には、上記のメインスイッチ１４１やモード設定ダイアル１４２、設定ボタン群１４３、レリーズボタン１４７等で構成されている。
【００４０】
制御部１２１Ａは、交換レンズ１０２内のＣＰＵ１８１を用い、レンズ位置検出部１２３により検出されたフォーカスレンズ１０３等のレンズ位置を検出する。そして、制御部１２１Ａは、フォーカス制御部１２４を用いてモータＭ１を制御することにより、交換レンズ１０２内のフォーカスレンズ１０３を駆動する。ここでは、位相差ＡＦモジュール１１４により求められたデフォーカス量に応じてフォーカスレンズ１０３を移動させることにより、焦点制御を行うことが可能となる。
【００４１】
制御部１２１Ａは、ミラー制御部１２５を用いてモーターＭ２を制御することにより、ミラー機構１２６内のクイックリターンミラー等を駆動する。
【００４２】
制御部１２１Ａは、シャッター制御部１２７を用いてモータＭ３を制御することにより、シャッター１１５を駆動する。
【００４３】
制御部１２１Ａは、タイミング制御回路１２８を用いて、例えばＣＣＤとして構成される撮像素子１１６、信号処理部１２９、およびＡ／Ｄ変換部１３０を制御する。
【００４４】
撮像素子１１６は、例えば３５ｍｍフルサイズのフィルムに相当する撮像面のサイズ（３６ｍｍ×２４ｍｍ）を有しており、撮像素子１１６で撮像されたアナログ信号の画像は、信号処理部１２９およびＡ／Ｄ変換部１３０においてデジタル信号の画像データに変換され、画像処理部１５０に入力される。この画像データは、画像処理部１５０において、黒レベル補正回路１５１、ＷＢ補正回路１５２およびγ補正回路１５３で各画像処理が行われ、画像メモリ１５４に記憶される。
【００４５】
画像処理部１５０において処理された画像データは、ＶＲＡＭ１７１を用いて背面モニタ１０７において表示されたり、カードＩ／Ｆ１７５を用いてメモリカード１７６に記録されたり、ＵＳＢ等で規格化された通信用Ｉ／Ｆ１７７を用いて外部へ送信されたりする。
【００４６】
制御部１２１Ａは、必要に応じて、フラッシュ回路１６１を介してフラッシュ１６２を発光させたり、ＡＦ補助光発光部１６３を発光させたりする。
【００４７】
制御部１２１Ａは、設定ボタン群１４３に対するユーザの操作に応答し、本撮影後に撮影画像を背面モニタ１０７に自動的に表示するアフタービュー表示モード(以下では略して「アフタービューモード」ともいう)の設定および、その解除を制御する。また、制御部１２１Ａは、後述のように状況に応じてアフタービュー表示モードの設定状態と解除状態との自動選択が可能となっている。
【００４８】
＜不適切な交換レンズ１０２の装着について＞
撮像システム１００Ａにおいては、マウント部Ｍｔが適合する交換レンズ１０２であればカメラ本体１０１への装着が可能となっているが、以下で説明する不適切な交換レンズ１０２が装着される場合がある。
【００４９】
カメラ本体１０１における撮像素子１１６の撮像面サイズに適合する交換レンズ１０２が装着される場合には、例えば図５に示すように交換レンズ１０２で規定されるイメージサークルＩＣａに撮像素子１１６の撮像面１１６ｆが内包されるため、適正な撮影が可能である。一方、撮像素子１１６の撮像面サイズに適合しない交換レンズ１０２、例えば上記のフルサイズ(３６ｍｍ×２４ｍｍ)より小さいＡＰＳサイズの撮像面(２３ｍｍ×１６ｍｍ)用に設計された交換レンズ１０２が装着される場合には、例えば図５に示すように交換レンズ１０２で規定されるイメージサークルＩＣｂに撮像素子１１６の撮像面１１６ｆが内包さないようになる。これにより、撮像素子１１６によって取得された画像においては、例えば図６に示す画像Ｇｏのように画像の長手方向の端部（特に画像の四隅部分）の輝度が低下して画像周辺部にケラレＫｒが生じることとなる。
【００５０】
このように撮像面(露光面)がフルサイズより小さいＡＰＳサイズのカメラボディ用に設計された交換レンズ１０２がカメラ本体１０１に装着されるとケラレＫｒが生じて適正な撮影が困難となるため、撮像システム１００Ａでは、以下で説明する動作を行い、不適切な交換レンズ１０２の装着を装着後の早い段階にユーザが認識できるようにして、その不適切な状態が長く継続するのを防止することとする。
【００５１】
＜撮像システム１００Ａの動作＞
図７は、撮像システム１００Ａの基本的な動作を示すフローチャートである。この動作は、制御部１２１Ａによって実行される。
【００５２】
まず、ユーザによって交換レンズ１０２が装着されると、その装着が検出される(ステップＳＴ１)。ここでは、例えばコネクタＥＣを介してＣＰＵ１８１との通信が可能か否かを判断することで、交換レンズ１０２がマウント部Ｍｔに装着されたか否かを検出する。
【００５３】
ステップＳＴ２では、ＲＯＭ１８２に格納される交換レンズ１０２の情報をカメラ本体１０１を制御部１２１Ａで受信する(ステップＳＴ２)。
【００５４】
ステップＳＴ３では、ステップＳＴ２で受信した交換レンズ１０２の情報に基づき、カメラ本体１０１内の撮像素子１１６の撮像面サイズと、交換レンズ１０２が装着されるべきカメラボディ内の撮像素子の撮像面サイズとの不一致を判定する。すなわち、露光面が所定サイズ(第１サイズ)となるカメラボディ用に設計された交換レンズ１０２の装着後に、この所定サイズが撮像素子１１６が設けられた撮像面のサイズ(第２サイズ)より小さいサイズ不一致に該当するか否かが判断される。具体的には、ステップＳＴ２で例えば交換レンズ１０２の型式や型番をレンズの固有情報として受信した場合には、この固有情報から交換レンズ１０２が適合する撮像素子の撮像面サイズを把握して撮像素子１１６の撮像面サイズと比較する。ここでは、例えば交換レンズの型番等と、それに適合する撮像素子の撮像面サイズとを記述したデータテーブルを制御部１２１Ａのメモリに格納しておけば、このデータテーブルを参照することにより交換レンズの型番等から撮像素子のサイズが把握できることとなる。
【００５５】
ステップＳＴ３において、撮像素子のサイズが不一致である場合には、ステップＳＴ４に進み、一致する場合には、ステップＳＴ５に進む。
【００５６】
ステップＳＴ４では、アフタービューモードに強制的に設定する。すなわち、撮像面のサイズ不一致に係る交換レンズ１０２が装着された場合には、制御部１２１Ａによりアフタービューモードに関する設定状態が自動的に選択される。
【００５７】
ステップＳＴ５では、レリーズボタン１４７がユーザによって全押しされると、撮影動作を行う。これにより、撮像素子１１６で被写体の画像が取得される。
【００５８】
ステップＳＴ６では、アフタービューモードが設定状態となっているかを判定する。ここで、アフタービューモードが設定状態となっている場合には、ステップＳＴ７に進み、設定状態でなく解除状態となっている場合には、ステップＳＴ１０に進む。なお、ステップＳＴ４でアフタービューモードに関する設定状態が選択された後に撮像面のサイズ不一致に係る交換レンズ１０２が装着されている場合でも、本ステップＳＴ６までにユーザが不適切な交換レンズ１０２の装着を認識した時には、設定ボタン群１４３の手動操作によってアフタービューモードに関する解除状態を選択すれば、ステップＳＴ７のアフタービュー表示が行わなわれずにステップＳＴ１０に進むこととなる。これにより、不適切な交換レンズ１０２が装着されていることをユーザに認識させるという意義が失われたアフタービュー表示を回避できる。
【００５９】
ステップＳＴ７では、ステップＳＴ５の撮影動作によって撮像素子１１６で取得された撮影画像をアフタービュー表示する。これにより、撮像面のサイズ不一致に係る交換レンズ１０２が装着された場合、交換レンズ１０２を装着してから初めての撮影後には例えば図６に示すようにケラレＫｒが発生している画像Ｇｏのアフタービュー表示が行われるため、ユーザは交換レンズ装着後の早い段階に不適切な装着状態を確実に認識できることとなる。
【００６０】
ステップＳＴ８では、アフタービューモードの設定状態を継続するかを判定する。具体的には、アフタービューモードの設定継続を問い掛ける画面を背面モニタ１０７に表示しつつ、例えば設定ボタン群１４３に対するユーザの操作に応じて設定継続の有無が判断される。ここで、アフタービューモードの設定状態を継続する場合には、ステップＳＴ１０に進み、設定状態を継続しない場合には、ステップＳＴ９に進む。
【００６１】
ステップＳＴ９では、アフタービューモードを強制的に解除する。これにより、ステップＳＴ７でアフタービュー表示を行った後には、アフタービューモードの解除状態が選択されることとなる。
【００６２】
ステップＳＴ１０では、ステップＳＴ５の撮影動作で取得した撮影画像をメモリカード１７６に記録する。なお、不適切な交換レンズ１０２の装着により例えば図６に示すようにケラレＫｒが生じている画像Ｇｏもそのままメモリカード１７６に記録される。
【００６３】
以上の撮像システム１００Ａの動作により、カメラ本体１０１に搭載された撮像素子１１６の撮像面より小さいサイズの撮像面に対応する交換レンズ１０２が装着された場合には、アフタービュー表示モードの設定を強制的に行うため、ケラレが生じた撮影画像のアフタービュー表示により、不適切な装着状態を装着後の早い段階にユーザが認識でき、その不適切な状態が長く継続するのを簡易に防止できる。
【００６４】
なお、撮像システム１００Ａにおいては、上述したように図７のフローチャートのステップＳＴ４でアフタービューモードに関する設定状態が選択された後には、設定ボタン群１４３の操作によりアフタービューモードの解除状態の選択が可能となっているが、上記のステップＳＴ４でアフタービューモードに関する設定状態が選択された後に撮像面のサイズ不一致に係る交換レンズ１０２が装着されている場合には、設定ボタン群１４３の操作による解除状態の選択を禁止するようにしても良い。これにより、不適切な交換レンズ１０２の装着状態が継続するのを確実に防止できる。
【００６５】
＜第２実施形態＞
本発明の第２実施形態に係る撮像システム１００Ｂについては、図１〜４に示す第１実施形態の撮像システム１００Ａと類似の構成を有しているが、カメラ本体の制御部の構成が異なっている。
【００６６】
すなわち、撮像システム１００Ｂの制御部１２１Ｂには、以下で説明する動作を行うプログラムが組み込まれている。
【００６７】
＜撮像システム１００Ｂの動作＞
図８は、撮像システム１００Ｂの基本的な動作を示すフローチャートである。この動作は、制御部１２１Ｂによって実行される。
【００６８】
ステップＳＴ１１〜ＳＴ１８では、図７のフローチャートに示すステップＳＴ１〜ＳＴ８と同様の動作を行う。
【００６９】
ステップＳＴ１９では、カメラ本体１０１に交換レンズ１０２を装着する前にユーザが設定していたアフタービューモードの状態に復帰する。これにより、ステップＳＴ１７でアフタービュー表示を行った後には、交換レンズ１０２の装着前にユーザによって選択されていたアフタービューモードの設定状態または解除状態への復帰が行われることとなる。
【００７０】
ステップＳＴ２０では、図７のフローチャートに示すステップＳＴ１０と同様の動作を行う。
【００７１】
以上の撮像システム１００Ｂの動作により、第１実施形態と同様に不適切な装着状態を装着後の早い段階にユーザが認識し、その不適切な状態が長く継続するのを簡易に防止できる。
【００７２】
なお、撮像システム１００Ｂにおいては、上記のステップＳＴ１９の動作と図７に示すステップＳＴ９の動作とをユーザが選択できるようにしても良い。すなわち、例えば設定ボタン群１４３の操作に応じて、交換レンズ装着前に設定されていたアフタービューモードの状態に復帰させる制御を行ったり、アフタービューモードに関する解除状態を選択できるようにする。このように復帰制御動作と解除選択動作とを選択的に実行(能動化)できれば、ユーザの選択肢が増え、利便性が向上することとなる。
【００７３】
＜変形例＞
・上記の各実施形態においては、交換レンズ１０２の情報としてレンズの型式や型番等をＲＯＭ１８２に格納するのは必須でなく、交換レンズ１０２に対応する撮像素子の撮像面サイズを直接ＲＯＭ１８２に格納するようにしても良い。
【００７４】
・上記の各実施形態における交換レンズについては、撮像素子が搭載されたカメラボディ用に設計された交換レンズであるのは必須でなく、銀塩フィルムがセットされるカメラボディ用に設計された交換レンズでも良い。
【図面の簡単な説明】
【００７５】
【図１】本発明の第１実施形態に係る撮像システム１００Ａの外観構成を示す図である。
【図２】撮像システム１００Ａの外観構成を示す図である。
【図３】図１のIII−III位置から見た断面を示す概念図である。
【図４】撮像システム１００Ａの機能構成を示すブロック図である。
【図５】不適切な交換レンズ１０２の装着について説明するための図である。
【図６】不適切な交換レンズ１０２が装着された場合に取得される撮影画像Ｇｏを示す図である。
【図７】撮像システム１００Ａの基本的な動作を示すフローチャートである。
【図８】本発明の第２実施形態に係る撮像システム１００Ｂの基本的な動作を示すフローチャートである。
【符号の説明】
【００７６】
１００Ａ、１００Ｂ  撮像システム
１０１  カメラ本体
１０２  交換レンズ
１０７  背面モニタ
１１６  撮像素子
１１６ｆ  撮像面
１２１Ａ、１２１Ｂ  制御部
１４３  設計ボタン群
１８２  交換レンズ内のＲＯＭ
ＩＣａ、ＩＣｂ  イメージサークル
Ｋｒ  ケラレ
【図１】
0004600770.tif 000002
【図２】
0004600770.tif 000003
【図３】
0004600770.tif 000004
【図４】
0004600770.tif 000005
【図５】
0004600770.tif 000006
【図６】
0004600770.tif 000007
【図７】
0004600770.tif 000008
【図８】
0004600770.tif 000009